(57)【要約】【課題】  窓枠ユニットの本体基部への取り付け作業を容易にする。【解決手段】  窓枠ユニット４の支持枠２１の下面に保持用挿入部材３４を設ける。受け部ユニット５の背面に筒体７８を設ける。筒体７８の側面に連結部材７９の一端を回動自在に取り付け、連結部材７９により受け部ユニット５と本体基部３とを連結する。また、受け部ユニット５の下端をヒンジ８１を介して本体基部３に連結する。受け部ユニット５を本体基部３の前面側に傾斜させた後、窓枠ユニット４の保持用挿入部材３４を筒体７８の保持用穴部７８ａに挿入する。窓枠ユニット４とともに受け部ユニット５を本体基部３側に回動させながら、窓枠ユニット４を本体基部３に嵌め込む。【選択図】        図１１
2005323929.tif 000002
【特許請求の範囲】
【請求項１】
遊技球が打ち出される遊技領域が形成された遊技盤と、前記遊技領域を覆う窓枠とを備えた窓枠ユニットと、
前記遊技球を受容する受け部が形成された受け部ユニットと、
前記窓枠ユニットと前記受け部ユニットとが上下に取り付けられる本体基部と、を備えた遊技機において、
前記窓枠ユニットを前記受け部ユニットの上部で保持し、前記窓枠ユニットと前記受け部ユニットとを一体化させる保持手段と、
遊技可能な状態で前記受け部ユニットが前記本体基部に取り付けられる通常位置と、前記本体基部の前面側に傾斜して、前記保持手段により前記窓枠ユニットを前記受け部ユニットに着脱させる傾斜位置との間で、前記受け部ユニットを前記本体基部に対して傾動させる傾動手段と、
前記傾斜位置で前記窓枠ユニットを保持した前記受け部ユニットを前記傾動手段により前記通常位置に移動させた際に、前記窓枠ユニットを前記本体基部に固定する固定手段とを設けたことを特徴とする遊技機。
【請求項２】
前記保持手段は、前記窓枠ユニットと前記受け部ユニットとのいずれか一方に形成された保持用穴部と、他方に設けられている前記保持用穴部に挿入される保持用挿入部材とから構成されることを特徴とする請求項１記載の遊技機。
【請求項３】
前記固定手段は、前記窓枠ユニットと前記本体基部とのいずれか一方に形成された固定用穴部と、他方に設けられ、前記固定用穴部に挿入されることにより前記固定用穴部に係止する固定用挿入部材とから構成されることを特徴とする請求項１または２記載の遊技機。
【請求項４】
前記本体基部と前記窓枠ユニットのいずれか一方に係止部材を設け、前記傾斜位置で前記保持手段により前記窓枠ユニットを保持した前記受け部ユニットを前記傾動手段により前記通常位置に移動させる過程で前記係止部材を嵌合させる嵌合部材を他方に設けたことを特徴とする請求項１ないし３のいずれか１つに記載の遊技機。
【請求項５】
遊技球が打ち出される遊技領域が形成された遊技盤を有する遊技盤ユニットと、
前記遊技球を受容する受け部が形成された受け部ユニットと、
前記遊技盤ユニットと前記受け部ユニットとが上下に取り付けられる本体基部と、を備えた遊技機において、
前記遊技盤ユニットを前記受け部ユニットの上部で保持し、前記遊技盤ユニットと前記受け部ユニットとを一体化させる保持手段と、
遊技可能な状態で前記受け部ユニットが前記本体基部に取り付けられる通常位置と、前記本体基部の前面側に傾斜して、前記保持手段により前記遊技盤ユニットを前記受け部ユニットに着脱させる傾斜位置との間で、前記受け部ユニットを前記本体基部に対して傾動させる傾動手段と、
前記傾斜位置で前記遊技盤ユニットを保持した前記受け部ユニットを前記傾動手段により前記通常位置に移動させた際に、前記遊技盤ユニットを前記本体基部に固定する固定手段とを設けたことを特徴とする遊技機。
【請求項６】
遊技球が打ち出される遊技領域が形成された遊技盤と、前記遊技領域を覆う窓枠とを備えた窓枠ユニットと、
前記遊技球を受容する受け部が形成された受け部ユニットと、
前記窓枠ユニットと前記受け部ユニットとが上下に取り付けられる本体基部と、
前記窓枠ユニットを前記受け部ユニットの上部で保持し、前記窓枠ユニットと前記受け部ユニットとを一体化させる保持手段と、
遊技可能な状態で前記受け部ユニットが前記本体基部に取り付けられる通常位置と、前記本体基部の前面側に傾斜して、前記保持手段により前記窓枠ユニットを前記受け部ユニットに着脱させる傾斜位置との間で、前記受け部ユニットを前記本体基部に対して傾動させる傾動手段と、
前記窓枠ユニットを保持した前記受け部ユニットを前記傾動手段により前記通常位置に移動させた際に、前記窓枠ユニットを前記本体基部に固定する固定手段とを備えた遊技機における窓枠ユニットの本体基部への取り付け方法であって、
前記傾斜位置で前記保持手段により前記窓枠ユニットと前記受け部ユニットとを一体化させた後、前記窓枠ユニットとともに前記受け部ユニットを前記傾動手段により前記傾斜位置から前記通常位置に移動させてから前記固定手段により前記窓枠ユニットを前記本体基部に固定することを特徴とする遊技機における窓枠ユニットの本体基部への取り付け方法。
【発明の詳細な説明】
【技術分野】
【０００１】
本発明は、パチンコ店などの遊技場に設置して使用されるパチンコ機などの遊技機、及び遊技機における窓枠ユニットの本体基部への取り付け方法に関するものである。
【背景技術】
【０００２】
遊技場に設置される遊技機としてパチンコ機が挙げられる。パチンコ機を構成する基体となる本体基部には、パチンコ球（遊技球）が打ち出される遊技領域が形成された遊技盤が取り付けられている。遊技盤には、遊技の際に作動される駆動装置の作動を制御する作動制御装置、パチンコ球の球通路、液晶パネルなどが取り付けられている。本体基部の前面には、遊技領域を視認させる窓部を備えた上扉（窓枠）と、操作ハンドルやパチンコ球を受容する受け部などを備えた下扉（受け部ユニット）とが本体基部の一側端を支点に回動自在に取り付けられている。設置されているパチンコ機のデザインを一新したり、あるいは遊技性の異なるパチンコ機へ交換する場合には、本体基部ごと全て交換されるか、または、本体基部を据え置きとして遊技盤のみが交換される。
【０００３】
ところで、パチンコ機は機種に関わらず多くの共通部品が使用されているが、本体基部などを交換してしまうと、共通部品も同時に交換することになって共通部品をリユースできなくなり、機種交換に伴うコストが高くなってしまう。また、遊技盤のみを交換した場合、パチンコ機の外観のデザインに変化がないため、外観から新たな機種のイメージが遊技者に伝わりにくい。さらに、遊技盤のデザインと外観のデザインに統一感がなくなる。      
【０００４】
このため、本体基部に遊技盤及び上扉を支持可能な支持部材を着脱自在に取り付け、機種交換の際に遊技盤及び上扉とともに支持部材を交換可能とすることによって、本体基部を据え置きとした際に共通部品のリユースを可能にしながら、パチンコ機の外観のイメージに変化を加えることが検討されている。
【発明の開示】
【発明が解決しようとする課題】
【０００５】
しかしながら、例えば遊技盤や支持部材のメンテナンスなどの作業を行う際には支持部材を本体基部から取り外す必要があるが、支持部材には、上扉、遊技盤、作動制御装置、球通路などの重量が加わるため、作業者一人で支持部材の本体基部からの取り外し、支持部材の本体基部への取り付け、支持部材の持ち運びなどの作業を行うと、作業者への負担が大きくなり、その重量も大きくなるため、支持部材を落下させてしまうおそれがある。このことが、支持部材や遊技盤や窓部などの破損の原因や作業者の怪我の原因、作業の効率が低下する原因となることが考えられる。また、支持部材に上扉、遊技盤、作動制御装置、球通路などの重量が加わると、支持部材を本体基部に取り付ける際、支持部材と本体基部との位置決めが難しくなるといった問題が発生する。
【０００６】
また、上扉が取り付けられている支持部材を本体基部に取り付けたり、あるいは本体基部から取り外したりする場合、支持部材を本体基部の前面側、あるいは背面側から本体基部に取り付けることが考えられるが、この場合、上扉の下端部が下扉と干渉して下扉を損傷させてしまう虞がある。特に、上扉の下端部が膨らんだ形状になっている場合には、上扉の下端部と下扉とがさらに干渉し易くなるので、上扉を下扉に衝突させないように本体基部に取り付けるといった作業が困難になってしまうということが考えられる。
【０００７】
また、支持部材で遊技盤を支持せずに、遊技盤を単独で本体基部に取り付ける場合には、遊技盤の遊技盤面と、本体基部に形成されている遊技盤が嵌め込まれる遊技盤取り付け部とが略平行となるような状態を保って遊技盤を本体基部の遊技盤取り付け部に嵌め込まなければならないので、遊技盤の本体基部への取り付け作業に伴う遊技盤の位置決めや本体基部から遊技盤を取り外す作業が行い難い。さらに、遊技盤の背面に作動制御装置や球通路などの各種装置が取り付けられている場合には、遊技盤の重量が大きくなるため取り付けや取り外しの作業が益々行い難くなることが考えられる。
【０００８】
本発明は、上記課題を解決するためになされたものであり、遊技盤、上扉、遊技盤及び上扉を支持する支持部材のメンテナンスなどの作業を行う際に、作業を安全、且つ効率良く行うことができるようにし、さらに、遊技盤、上扉、支持部材の本体基部への位置決めを正確、且つ容易に行うことができるようにした遊技機、及び遊技機における窓枠ユニットの本体基部への取り付け方法を提供することを目的とする。加えて、下扉を損傷させることなく上扉を本体基部に取り付けることができるようにした遊技機、及び遊技機における窓枠ユニットの本体基部への取り付け方法を提供することも本発明の別の目的である。
【課題を解決するための手段】
【０００９】
上記目的を達成するために、本発明の遊技機は、遊技球が打ち出される遊技領域が形成された遊技盤と、前記遊技領域を覆う窓枠とを備えた窓枠ユニットと、前記遊技球を受容する受け部が形成された受け部ユニットと、前記窓枠ユニットと前記受け部ユニットとが上下に取り付けられる本体基部と、を備えたものであり、前記窓枠ユニットを前記受け部ユニットの上部で保持し、前記窓枠ユニットと前記受け部ユニットとを一体化させる保持手段と、遊技可能な状態で前記受け部ユニットが前記本体基部に取り付けられる通常位置と、前記本体基部の前面側に傾斜して、前記保持手段により前記窓枠ユニットを前記受け部ユニットに着脱させる傾斜位置との間で、前記受け部ユニットを前記本体基部に対して傾動させる傾動手段と、前記傾斜位置で前記窓枠ユニットを保持した前記受け部ユニットを前記傾動手段により前記通常位置に移動させた際に、前記窓枠ユニットを前記本体基部に固定する固定手段とを設けたことを特徴とする。
【００１０】
また、前記保持手段は、前記窓枠ユニットと前記受け部ユニットとのいずれか一方に形成された保持用穴部と、他方に設けられている前記保持用穴部に挿入される保持用挿入部材とから構成されることが好ましい。
【００１１】
また、前記固定手段は、前記窓枠ユニットと前記本体基部とのいずれか一方に形成された固定用穴部と、他方に設けられ、前記固定用穴部に挿入されることにより前記固定用穴部に係止する固定用挿入部材とから構成されることが好ましい。
【００１２】
また、前記本体基部と前記窓枠ユニットのいずれか一方に係止部材を設け、前記傾斜位置で前記保持手段により前記窓枠ユニットを保持した前記受け部ユニットを前記傾動手段により前記通常位置に移動させる過程で前記係止部材を嵌合させる嵌合部材を他方に設けることが好ましい。
【００１３】
また、本発明の遊技機は、遊技球が打ち出される遊技領域が形成された遊技盤を有する遊技盤ユニットと、前記遊技球を受容する受け部が形成された受け部ユニットと、
前記遊技盤ユニットと前記受け部ユニットとが上下に取り付けられる本体基部と、を備えたものであり、前記遊技盤ユニットを前記受け部ユニットの上部で保持し、前記遊技盤ユニットと前記受け部ユニットとを一体化させる保持手段と、遊技可能な状態で前記受け部ユニットが前記本体基部に取り付けられる通常位置と、前記本体基部の前面側に傾斜して、前記保持手段により前記遊技盤ユニットを前記受け部ユニットに着脱させる傾斜位置との間で、前記受け部ユニットを前記本体基部に対して傾動させる傾動手段と、前記傾斜位置で前記遊技盤ユニットを保持した前記受け部ユニットを前記傾動手段により前記通常位置に移動させた際に、前記遊技盤ユニットを前記本体基部に固定する固定手段とを設けたことを特徴とする。
【００１４】
本発明の遊技機における窓枠ユニットの本体基部への取り付け方法は、遊技球が打ち出される遊技領域が形成された遊技盤と、前記遊技領域を覆う窓枠とを備えた窓枠ユニットと、前記遊技球を受容する受け部が形成された受け部ユニットと、前記窓枠ユニットと前記受け部ユニットとが上下に取り付けられる本体基部と、前記窓枠ユニットを前記受け部ユニットの上部で保持し、前記窓枠ユニットと前記受け部ユニットとを一体化させる保持手段と、遊技可能な状態で前記受け部ユニットが前記本体基部に取り付けられる通常位置と、前記本体基部の前面側に傾斜して、前記保持手段により前記窓枠ユニットを前記受け部ユニットに着脱させる傾斜位置との間で、前記受け部ユニットを前記本体基部に対して傾動させる傾動手段と、前記窓枠ユニットを保持した前記受け部ユニットを前記傾動手段により前記通常位置に移動させた際に、前記窓枠ユニットを前記本体基部に固定する固定手段とを備えた遊技機における窓枠ユニットの本体基部への取り付け方法であって、前記傾斜位置で前記保持手段により前記窓枠ユニットと前記受け部ユニットとを一体化させた後、前記窓枠ユニットとともに前記受け部ユニットを前記傾動手段により前記傾斜位置から前記通常位置に移動させてから前記固定手段により前記窓枠ユニットを前記本体基部に固定することを特徴とする。
【発明の効果】
【００１５】
本発明の遊技機は、窓枠ユニットを受け部ユニットの上部で保持し、窓枠ユニットと受け部ユニットとを一体化させる保持手段と、遊技可能な状態で受け部ユニットが本体基部に取り付けられる通常位置と、本体基部の前面側に傾斜して、保持手段により窓枠ユニットを受け部ユニットに着脱させる傾斜位置との間で、受け部ユニットを本体基部に対して傾動させる傾動手段と、傾斜位置で窓枠ユニットを保持した受け部ユニットを傾動手段により通常位置に移動させた際に、窓枠ユニットを本体基部に固定する固定手段とを設け、傾斜位置で保持手段により窓枠ユニットと受け部ユニットとを一体化させた後、窓枠ユニットとともに受け部ユニットを傾動手段により傾斜位置から通常位置に移動させてから固定手段により窓枠ユニットを本体基部に固定するようにしたので、仮に窓枠ユニットの重量が大きい場合であっても、傾斜させた受け部ユニットの上面において窓枠ユニットを保持させるため、本体基部に対して容易に位置決めすることが可能になる。すなわち、窓枠ユニットを持ち上げる労力の軽減が図れるとともに、保持部が取り付け作業者側に向いていることから機種の入れ替えに伴う作業を安全に、且つ効率良く行うことができる。また、遊技盤や窓枠などの窓枠ユニットを構成する部材のメンテナンスなどの作業を行う際に、作業を安全、且つ効率良く行うことができる。さらに、取り付け作業の際に窓枠ユニットの下部と受け部ユニットとが接触することによって窓枠ユニットや受け部ユニットを損傷させることなく窓枠ユニットを本体基部に取り付けたり、あるいは窓枠ユニットを本体基部から容易に取り外したりすることができる。
【００１６】
また、保持手段は、窓枠ユニットと受け部ユニットとのいずれか一方に形成された保持用穴部と、他方に設けられている保持用穴部に挿入される保持用挿入部材とから構成されるので、簡便で、且つ低コストな構造で窓枠ユニットを受け部ユニットに取り付けることができる。また、保持用穴部に保持用挿入部材を挿入することにより位置決めを行えるため、窓枠ユニットを受け部ユニットの適切な位置に迅速に取り付けることができる。さらに、保持用穴部から保持用挿入部材を引き抜くだけで窓枠ユニットを受け部ユニットから容易に取り外すことができる。
【００１７】
また、固定手段は、窓枠ユニットと本体基部とのいずれか一方に形成された固定用穴部と、他方に設けられ、固定用穴部に挿入されることにより固定用穴部に係止する固定用挿入部材とから構成されるので、簡便で、且つ低コストな構造で窓枠ユニットを本体基部に固定することができる。また、窓枠ユニットを本体基部に迅速、且つ正確に固定することができ、これにより、機種の入れ替えやメンテナンスに伴う作業の効率化を図ることができる。
【００１８】
また、本体基部と窓枠ユニットのいずれか一方に係止部材を設け、傾斜位置で保持手段により窓枠ユニットを保持した受け部ユニットを傾動手段により通常位置に移動させる過程で係止部材を嵌合させる嵌合部材を他方に設けたので、固定手段により窓枠ユニットを本体基部に固定する前に、窓枠ユニットが本体基部から脱落することを防止することができ、これにより作業性及び安全性が向上する。
【００１９】
また、本発明の遊技機は、遊技盤ユニットを受け部ユニットの上部で保持し、遊技盤ユニットと受け部ユニットとを一体化させる保持手段と、遊技可能な状態で受け部ユニットが本体基部に取り付けられる通常位置と、本体基部の前面側に傾斜して、保持手段により遊技盤ユニットを受け部ユニットに着脱させる傾斜位置との間で、受け部ユニットを本体基部に対して傾動させる傾動手段と、傾斜位置で遊技盤ユニットを保持した受け部ユニットを傾動手段により通常位置に移動させた際に、遊技盤ユニットを本体基部に固定する固定手段とを設け、傾斜位置で保持手段により遊技盤ユニットと受け部ユニットとを一体化させた後、遊技盤ユニットとともに受け部ユニットを傾動手段により傾斜位置から通常位置に移動させてから固定手段により遊技盤ユニットを本体基部に固定するようにしたので、仮に遊技盤ユニットの重量が大きい場合であっても、傾斜させた受け部ユニットの上面において遊技盤ユニットを保持させるため、本体基部に対して容易に位置決めすることが可能になる。すなわち、遊技盤ユニットを持ち上げる労力の軽減が図れるとともに、保持部が取り付け作業者側に向いていることから機種の入れ替えに伴う作業を安全に、且つ効率良く行うことができる。さらに、取り付け作業の際に遊技盤ユニットの下部と受け部ユニットとが接触することによって遊技盤ユニットや受け部ユニットを損傷させることなく遊技盤ユニットを本体基部に取り付けたり、あるいは遊技盤ユニットを容易に取り外したりすることができる。
【発明を実施するための最良の形態】
【００２０】
以下、本発明にかかる第１の実施形態を図面に基づいて説明する。図１及び図２に示すように、本実施例であるパチンコ機（遊技機）２は、本体基部３、窓枠ユニット４、受け部ユニット５から構成されている。本体基部３は、新しい機種への切り替えの際に、遊技場等の配設場所に据え置かれる部分である。本体基部３は上部と下部の２つに区画された矩形の枠形状に形成されており、上部には窓枠ユニット４が、下部には受け部ユニット５が取り付けられる。
【００２１】
本体基部３の上部における枠形状に形成されている部分の内壁面３ａには窓枠ユニット４が取り付けられる略矩形状の窓枠ユニット取り付け枠６が設けられている。窓枠ユニット取り付け枠６の前面側には窓枠ユニット４を本体基部３内に収容するためのスペースが設けられており、本体基部３の上部は、窓枠ユニット取り付け枠６の前面と内壁面３ａとにより前面側から見て一段凹んだ状態になっている。窓枠ユニット取り付け枠６の中央部には矩形状の開口３ｂが形成されており、この開口３ｂには、後述する遊技盤２０の背面に備えられている球通路、メイン制御基盤（メイン制御装置）やサブ制御基盤（サブ制御装置）が嵌め込まれる。
【００２２】
窓枠ユニット取り付け枠６の上部には、後述する窓枠ユニット４の支持枠７を本体基部３に着脱自在に取り付けるための一対の第１固定用挿入部材（固定用挿入部材）８が左右対称に設けられている。
【００２３】
本体基部３の一段凹んだ部分を形成している上壁３ｂの下面Ｕには、２つの第１固定用挿入部材８の間に位置するように、略矩形状の枠体（嵌合部材）９が設けられている。特に図示しないが、本体基部３の上部にはスライド機構が設けられており、このスライド機構により枠体９は、本体基部３の前面側に突出する突出位置と、本体基部３の背面側に収納される収納位置との間でスライド自在となっている。また、スライド機構にはコイルバネが組み込まれており、このコイルバネによって枠体９は収納位置から突出位置に向けて常に付勢された状態になっている。スライド機構としては、具体的には、本体基部３の上壁３ｂの下面Ｕに本体基部３の前面から背面かけて直線状のレールを設け、このレールに嵌合する溝を枠体９に形成すれば良い。また、枠体９が収納される収納位置としては、窓枠ユニット取り付け枠６の上部に貫通孔を設け、スライド機構により枠体９を本体基部３の背面側に移動させた際に、その貫通孔から本体基部３の背面側のスペースに枠体９を逃がすようにすれば良く、この場合、本体基部３の背面側のスペースが収納位置となる。
【００２４】
本体基部３の下部の前面の右上と左上には、本体基部３の上部の一段凹んだ部分に向けて開口するように一対の切り欠き３ｃが形成されている。この切り欠き３ｃは、後述する受け部ユニット５の筒体７８に対向するように形成されており、筒体７８よりもやや大きく形成されている。
【００２５】
窓枠ユニット４は、遊技盤２０、支持枠２１、窓枠２２から構成されている。遊技盤１３は、略矩形状に形成されている。遊技盤１３の背面には、特に図示しないが、球通路、メイン制御基盤やサブ制御基盤が設けられている。メイン制御基盤は、機種に応じた遊技の実行処理を行い、さらに、サブ制御基板に対して命令を行うための制御を行う。サブ制御基盤は、図柄表示装置２３の表示制御、ランプ２４の点灯制御、スピーカー２５から出力される音声制御などの各駆動装置の作動を制御する。
【００２６】
遊技盤２０上にはガイドレール２６に囲まれた遊技領域４ａが形成されている。遊技領域２０ａの中央には、図柄表示装置２３が設けられ、その他に、始動入賞口２７、通常入賞口２８、アタッカ２９、アウト口３０が設けられている。なお、遊技領域２０ａ内を流下するパチンコ球は、始動入賞口２７または通常入賞口２８またはアタッカ２９等の所定入賞口のいずれかに入賞するか、あるいはアウト口３０から回収される。なお、パチンコ機における釘、風車などの構造物は公知であるので説明は省略する。また、この遊技領域２０ａは、窓枠２２が閉じている場合には、窓枠２２に取り付けられるガラス３１を通して視認することができるが、この状態では遊技領域２０ａに形成された構造物には触れることができないようになっている。
【００２７】
支持枠２１は、略矩形状に形成されており、支持枠２１の内壁部には遊技盤２０が取り付けられる略矩形状の遊技盤取り付け枠３２が設けられている。遊技盤取り付け枠３２の前面側には遊技盤２０を支持枠２１内に収容するためのスペースが設けられており、支持枠２１は、遊技盤取り付け枠３２の前面と支持枠２１の内壁部とにより前面側から見て一段凹んだ状態になっている。この凹んだ部分に遊技盤２０が嵌め込まれる。
【００２８】
遊技盤取り付け枠３２の中央部には矩形状の開口２１ａが形成されており、この開口２１ａには、遊技盤２０の背面に備えられている球通路、メイン制御基盤やサブ制御基盤が嵌め込まれる。支持枠２１の上部には第１固定用挿入部材８が挿入される挿入孔（固定用穴部）２１ｂが形成されている。詳しくは後述するが、本体基部３の第１固定用挿入部材８が支持枠２１の挿入孔２１ｂに挿入されることにより第１固定用挿入部材８が挿入孔２１ｂに係止し、窓枠ユニット４が本体基部３の窓枠ユニット取り付け枠６に固定される。このように、本実施形態では、本体基部３の第１固定用挿入部材８と支持枠２１の挿入孔２１ｂとから固定手段が構成されている。
【００２９】
遊技盤取り付け枠３２の正面から見て右側の上下端部には、遊技盤２０を支持枠２１に固定するための一対の第２固定用挿入部材３３が設けられている。第２固定用挿入部材３３のそれぞれは、遊技盤２０の正面から見て右側の上下端部に形成されている挿入孔２０ｂに挿入される。
【００３０】
支持枠２１の下面の左右端部には、下方に向けて突出するように一対の保持用挿入部材３４が設けられている。保持用挿入部材３４は略直方体形状に形成されており、後述する受け部ユニット５の保持用穴部７８ａに挿入される。
【００３１】
支持枠２１の正面から見て左側の上端部には、後述するヒンジ装置５０の軸５５が挿入される円形の軸取り付け孔２１ｃが形成されており、下端部の内壁には軸３５が上方に突出するように設けられている。支持枠２１には軸取り付け孔２１ｃ及び軸３５を介して窓枠２２が着脱自在に取り付けられる。
【００３２】
支持枠２１の上部の背面にはフック（係止部材）３６が本体基部３の枠体９に対向するように設けられている。特に図示しないが、支持枠２１の上部には上述した本体基部３の枠体９と同様のスライド機構が設けられており、このスライド機構によりフック３６は、支持枠２１の背面側に突出する突出位置と、支持枠２１の内部に収納される収納位置との間でスライド自在となっている。また、スライド機構にはコイルバネが組み込まれており、このコイルバネによってフック３６は収納位置から突出位置に向けて常に付勢された状態になっている。スライド機構をさらに具体的に説明すると、支持枠２１の上部の背面には背面側に開口された凹部が形成されており、この凹部に支持枠２１の背面側から前面側にかけて直線状のレールを設け、このレールに嵌合する溝をフック３６に形成すれば良い。この場合、凹部はフック３６が収納可能な大きさに形成されており、凹部の内部のスペースがフック３６が収納される収納位置となる。なお、凹部に限ることなく、貫通孔を形成しても良い。
【００３３】
窓枠２２は、遊技盤２０の前面側に配設される遊技領域２０ａを透視可能とした窓部となるガラス３１と、このガラス３１をヒンジ装置５０を介して回動自在に保持している保持枠５１とから構成されている。保持枠５１の中央部にはガラス３１と略同形状でガラス３１よりも一回り大きい開口５１ａが形成されている。開口５１ａにはガラス３１が嵌め込まれている。保持枠５１にはガラス３１が軸部５２を中心に回動自在になるように取り付けられている。また、保持枠５１の軸部５２と反対側の端部には、ガラス係止部材５３が上下２箇所に設けられている。ガラス係止部材５３は回動自在になるように取り付けられており、ガラス３１が開口５１ａに嵌め込まれた状態でガラス係止部材５３を回動させると、ガラス係止部材５３がガラス３１に係止し、ガラス３１が回動不能となる。ガラス係止部材５３による係止を解除し、ガラス３１を軸部５２を中心に回動させると、ガラス３１を保持枠５１から離脱させることができる。
【００３４】
保持枠５１の背面から見て右側の下端部には円形の軸取り付け孔５１ｂが形成されている。軸取り付け孔５１ｂは支持枠２１の軸３５の直径よりも一回り大きく形成されており、支持枠２１の軸３５は軸取り付け孔５１ｂに嵌め込まれて保持枠５１を貫通する。また、保持枠５１の背面から見て右側の上端部にはヒンジ装置５０が設けられている。
【００３５】
図３及び図４に示すように、ヒンジ装置５０は本体５４、軸５５、コイルバネ５６から構成されている。本体５４は略コの字状に折り曲げられており、ビス５７によって保持枠５１の内壁面に取り付けられている。本体５４が折り曲げられた一対の折り曲げ部分には軸５５を挿通するための開口５４ａが形成されている。軸５５は略Ｌ字状に折り曲げることによって形成されており、挿通部５５ａと係止部５５ｂとから構成されている。挿通部５５ａは本体５４の折り曲げ部分に形成された開口５４ａに挿通されている。コイルバネ５６は、挿通部５５ａが本体５４の一方の開口５４ａに挿通された後に挿通部５５ａに嵌め込まれる。挿通部５５ａにコイルバネ５６が取り付けられた後、挿通部５５ａの側面に形成された図示しない溝にＣ形のフランジ５８が取り付けられる。これにより、フランジ５８にコイルバネ５６の端部が当接し、軸５５を下方に移動させるとフランジ５８とともに軸５５は上方に付勢される。軸５５が上方に付勢されると、挿通部５５ａの先端５５ｃが保持枠５１の貫通孔５１ｃから突出するとともに、係止部５５ｂが本体５４に係止する。
【００３６】
窓枠２２を支持枠２１に取り付ける場合、保持枠５１の軸取り付け孔５１ｂを支持枠２１の軸３５に嵌装させた後、ヒンジ装置５０の軸５５の係止部５５ｂを下方（図３の矢印方向）に引っ張りながら、挿通部５５ａが支持枠２１の軸取り付け孔２１ｃと同軸心となって挿通可能となるように、窓枠２２を支持枠２１に対して位置決めする。そして、係止部５５ｂの引っ張りを解除してコイルバネ５６の付勢力によって係止部５５ｂを本体５４に係止させると、挿通部５５ａの先端５５ｃが軸取り付け孔２１ｃから突出する。
【００３７】
図５及び図６に示すように、窓枠ユニット４の支持枠２１内には遊技盤保持部材６０が設けられている。遊技盤保持部材６０は、弾性を有する板を屈曲させることで形成されており、一端側に押圧部６０ａが設けられている。押圧部６０ａは遊技盤２０の背面に当接して遊技盤２０を背面側から前面側へ押圧する。これにより、遊技盤２０は支持枠２１内の遊技盤受け部２１ｄに押さえつけられ、遊技盤保持部材６０の押圧部６０ａと遊技盤受け部２１ｄとによって挟持されて固定される。
【００３８】
次に、第１固定用挿入部材８と第２固定用挿入部材３３について説明する。なお、第１固定用挿入部材８と第２固定用挿入部材３３は同じ構造をしているため、第２固定用挿入部材３３を例に説明する。図７に示すように、遊技盤取り付け枠３２に設けられている第２固定用挿入部材３３は、係止部３３ａと軸部３３ｂとを備えている。係止部３３ａは軸部３３ｂを中心に回動自在に軸支されており、遊技盤２０が取り付けられていない状態では図に示すように長手方向が垂直に向けられた取り外し位置にセットされている。遊技盤２０の挿入孔２０ｂは係止部３３ａが挿入可能な大きさに形成されている。第２固定用挿入部材３３の係止部３３ａを遊技盤２０の挿入孔２０ｂに挿通させながら遊技盤２０の背面を遊技盤取り付け枠３２の前面に突き当てて遊技盤２０を支持枠２１にセットすると（図５及び図６参照）、係止部３３ａが挿入孔２０ｂから回動自在となるように突出する。
【００３９】
図８に示すように、係止部３３ａが挿入孔２０ｂから突出した状態で、その長手方向が水平となるように係止部３３ａを９０度回転させると、係止部３３ａは、遊技盤２０の取り外しが不能になる固定位置にセットされる。係止部３３ａの固定位置への回動によって、係止部３３ａが挿入孔２０ｂを通過不能となり、遊技盤２０に係止する。これにより遊技盤２０が支持枠２１の遊技盤取り付け枠３２に固定される。なお、支持枠２１も遊技盤２０と同様の固定方法で第１固定用挿入部材８の係止部８ａ（図２参照）を支持枠２１の挿入孔２１ｂに係止させることにより、本体基部３に着脱自在に取り付けられる。
【００４０】
図２に示すように、保持枠５１のヒンジ装置５０の取り付け側と反対側の内壁面には施錠装置６１が取り付けられている。図９に示すように、施錠装置６１は、保持枠５１の内壁面に取り付けられた固定部材６２と、この固定部材６２に上下方向に摺動可能に取り付けられた可動部材６３と、支持枠２１の内壁面（図２の正面から向かって右側の内壁面）に設けられた突出片６４とから構成されている。固定部材６２に支持された可動部材６３は、支持枠２１の突出片６４に係合し、窓枠２２と支持枠２１とをロックまたはロック解除する。
【００４１】
固定部材６２には、ピン６５及びストッパー６６が設けられており、これらを可動部材６３に係止させることによって、固定部材６２に可動部材６３が上下に移動自在に支持されている。また、保持枠５１にはバネ６７が取り付けられており、バネ６７の付勢によって可動部材６３が上方向に付勢される。可動部材６３の保持枠５１側の上下端部には矩形の切り欠き６８が形成されている。切り欠き６８の一端部６８ａがストッパー６６に係止すると可動部材６３の移動が規制される。
【００４２】
可動部材６３には、係止片６９が支持枠２１側の上下端部の２箇所に設けられている。係止片６９には、斜辺６９ａと溝部６９ｂとが形成されている。可動部材６３はバネ６７の弾性復元力によって上方向に付勢されているので、溝部６９ｂが突出片６４に引っ掛かって係止されることで、窓枠２２が支持枠２１に対して開放不能となるようにロックされた状態になる。
【００４３】
窓枠２２の保持枠５１の前面には鍵穴５１ｄが設けられている（図１参照）。鍵穴５１ｄの内部には、特に図示しないが、所定の鍵を差し込むと嵌り合う溝を有する開錠用鍵と、開錠用鍵から保持枠５１の可動部材６３に向かって延びる開錠用シャフト７０が設けられている。開錠用シャフト７０の先端には、突部７１ａを有する開錠用カム７１が形成されている。可動部材６３の開錠用カム７１に対応する位置には開口７２が形成されており、開口７２に開錠用カム７１の突部７１ａが嵌り込んで係止されている。
【００４４】
窓枠２２と支持枠２１とのロックを解除するときは、鍵穴５１ｄに所定の鍵を差し込んで所定方向に回転させ、開錠用シャフト７０の先端に設けられた開錠用カム７１を、窓枠２２の正面から見て時計周りに回転させる。これにより、開錠用シャフト７０が回転して開錠用カム７１の突部７１ａが開口７２の端部に係止し、可動部材６３が開錠用カム７１の突部７１ａによって押し下げられる。可動部材６３が押し下げられると、係止片６９の溝部６９ｂから係止片６９が外れて、窓枠２２が支持枠２１に対して開放可能となるようにロックが解除された状態になる。
【００４５】
窓枠２２を支持枠２１にロックされた状態にするには、開放された状態の窓枠２２を閉じる方向に変位させると、係止片６９の斜辺６９ａが突出片６４に当接する。斜辺６９ａが突出片６４に当接した後、さらに窓枠２２を閉じる方向に変位させると、可動部材６３がバネ６７の付勢力に抗して斜辺６９ａの傾斜に沿って徐々に下に下がっていく。そして、突出片６４が斜辺６９ａを乗り越えて溝部６９ｂに嵌り込み、バネ６７の付勢力によって可動部材６３が初期位置に戻ると係止片６９は突出片６４に係止される。
【００４６】
図１０に示すように、受け部ユニット５は、ベース部材７３と、このベース部材７３の前面に取り付けられているパチンコ球を受容する供給皿（受け部）７４と、この供給皿７４の前方にて供給皿７４の前面を覆うように取り付けられている外装カバー７５と、灰皿７６と、受け部ユニット５の裏側に備えられたパチンコ球を発射するパチンコ球発射装置を作動させるために操作する操作ハンドル７７とから構成されている。遊技者は供給皿７４にパチンコ球を投入し、操作ハンドル７７を回動させて、遊技盤２０上の遊技領域２０ａに対してパチンコ球を打ち出す。始動入賞口２７、通常入賞口２８又はアタッカ２９にパチンコ球が入賞すると所定個数の景品球となる賞球払い出しが行われる。前記景品球は、入賞された入賞口の種類に応じた個数のパチンコ球が払い出し口７３ａから供給皿７４に払い出される。
【００４７】
ベース部材７３は、板状に形成されており、本体基部３下部の前面に取り付けられている。ベース部材７３には入賞した際の景品球が排出される払い出し口７３ａが形成されている。ベース部材７３の背面の左上端部、及び右上端部のそれぞれには支持枠２１の保持用挿入部材３４が挿入される筒体７８が設けられている。筒体７８は略直方体形状であり、上方に向けて開放されている保持用穴部７８ａが形成されている。この保持用穴部７８ａは略矩形状で、支持枠２１の保持用挿入部材３４が挿入可能な大きさに形成されており、窓枠ユニット４の保持用挿入部材３４を受け部ユニット５の保持用穴部７８ａに挿入することにより、窓枠ユニット４と受け部ユニット５とを一体化することができる。このように、本実施形態では、保持用挿入部材３４と保持用穴部７８ａとにより、窓枠ユニット４を受け部ユニット５の上部で保持し、窓枠ユニット４と受け部ユニット５とを一体化させる保持手段が構成されている。
【００４８】
２つの筒体７８の側面には、本体基部３と受け部ユニット５とを連結するための一対の連結部材７９が設けられている。一端は筒体７８の側面に設けた軸支部Ｚを支点に回動自在に軸支され、他端は本体基部３側に配置される。図１１に示すように、連結部材７９の他端側には長孔７９ａが形成され、本体基部３の左右の内壁面には一対のガイドピン８０が本体基部３の内側に向けて対向して突出するように設けられている。ガイドピン８０は連結部材７９の長孔７９ａに挿通され、受け部ユニット５の上端は連結部材７９を介してガイドピン８０によって軸支される。受け部ユニット５の下端はヒンジ８１を介して本体基部３に回動自在に連結されている。
【００４９】
ガイドピン８０が長孔７９ａの本体基部３側の端部Ｘ（図１０参照）に位置している場合、受け部ユニット５は図１１に示すように、受け部ユニット５の下端に設けられているヒンジ８１を軸として本体基部３の前面側に傾斜した状態となり、ガイドピン８０が長孔７９ａの受け部ユニット５側の端部Ｙ（図１０参照）に位置している場合、受け部ユニット５は図２に示すように、本体基部３の切り欠き３ｃに受け部ユニット５の筒体７８が嵌め込まれ、払い出し口７３ａから供給皿７４に景品球が排出可能な状態（遊技可能な状態）となる。
【００５０】
このように、受け部ユニット５の下端に設けられている連結部材７９、ガイドピン８０、及びヒンジ８１によって、図１に示すような遊技可能な状態で受け部ユニット５が本体基部３に取り付けられる通常位置と、図１１に示すような本体基部３の前面側に傾斜して、保持用挿入部材３４と保持用穴部７８ａとにより窓枠ユニット４を受け部ユニット５に着脱させることが可能となる傾斜位置との間で、受け部ユニット５を本体基部３に対して傾動させることができる。このように、本実施形態では、連結部材７９、ガイドピン８０、及びヒンジ８１から傾動手段が構成されている。
【００５１】
次に、上記のように構成された本実施形態におけるパチンコ機の作用について説明する。窓枠ユニット４を組み立てる場合、先ず、窓枠２２の軸取り付け孔５１ｂを支持枠２１の軸３５に嵌装させる。この後、ヒンジ装置５０の軸５５の係止部５５ｂを下方に引っ張りながら、挿通部５５ａが支持枠２１の軸取り付け孔２１ｃと同軸心となって挿通可能となるように、窓枠２２を支持枠２１に対して位置決めする。位置決めが完了した後、係止部５５ｂの引っ張りを解除すると、コイルバネ５６の付勢力によって係止部５５ｂが本体に係止され、挿通部５５ａの先端５５ｃが支持枠２１の軸取り付け孔２１ｃから突出する。これにより窓枠２２は支持枠２１に対して回動自在に保持される。
【００５２】
支持枠２１の遊技盤取り付け枠３２に設けられている第２固定用挿入部材３３の係止部３３ａを取り外し位置にセットした後、第２固定用挿入部材３３の係止部３３ａを遊技盤２０の挿入孔２０ｂに挿通させながら遊技盤２０の背面を遊技盤取り付け枠３２の前面に突き当てて遊技盤２０を支持枠２１の遊技盤取り付け枠３２にセットする。そして、第２固定用挿入部材３３の係止部３３ａを取り外し位置から固定位置に回動させる。これにより第２固定用挿入部材３３の係止部３３ａが遊技盤２０の挿入孔２０ｂに係止し、遊技盤２０が支持枠２１の遊技盤取り付け枠３２に固定される。このようにして遊技盤２０を支持枠２１に取り付けた後、施錠装置６１により窓枠２２を支持枠２１にロックする。
【００５３】
このようにして組み立てられた窓枠ユニット４を本体基部３に取り付ける場合、先ず、受け部ユニット５を傾斜位置にセットする。そして、図１１に示すように、窓枠ユニット４の保持用挿入部材３４を受け部ユニット５の保持用穴部７８ａに挿入する。これにより、保持用挿入部材３４と保持用穴部７８ａとによって窓枠ユニット４は受け部ユニット５の上部で保持され、窓枠ユニット４と受け部ユニット５とが一体化される。
【００５４】
窓枠ユニット４と受け部ユニット５とを一体化させた後、窓枠ユニット取り付け枠６の第１固定用挿入部材８の係止部８ａを取り外し位置にセットする。図１２に示すように、窓枠ユニット４とともに受け部ユニット５を傾斜位置から通常位置に（図中の円弧矢印方向）向けて回動させる。回動させている過程で、突出位置にセットされている本体基部３の枠体９と窓枠ユニット４のフック３６とが対向し、フック３６が枠体９に引っ掛かる。そして、窓枠ユニット４とともに受け部ユニット５を傾斜位置から通常位置に向けてさらに回動させていくと、上述したスライド機構により、枠体９及びフック３６を収納位置から突出位置に向けて付勢しているコイルバネの付勢力に抗して、枠体９及びフック３６は突出位置から収納位置へとスライドしていく。フック３６を枠体９に引っ掛けた際、窓枠ユニット取り付け枠６の第１固定用挿入部材８の係止部８ａが取り外し位置にセットされているか否かを確認する。
【００５５】
第１固定用挿入部材８の係止部８ａが取り外し位置にセットされていることを確認した後、窓枠ユニット４を保持した受け部ユニット５を回動させ、支持枠２１の挿入孔２１ｂに第１固定用挿入部材８の係止部８ａを挿通させながら通常位置にセットする。通常位置にセットされると、窓枠ユニット４の支持枠２１の背面が本体基部３の窓枠ユニット取り付け枠６の前面に突き当たる。
【００５６】
窓枠ユニット４を保持した受け部ユニット５を通常位置にセットした後、窓枠２２の鍵穴５１ｄに所定の鍵を挿入し、窓枠２２と支持枠２１とのロックを解除する。そして、図１３に示すように窓枠２２を開放して、第１固定用挿入部材８の係止部８ａを取り外し位置から固定位置に回動させる。これにより第１固定用挿入部材８の係止部８ａが支持枠２１の挿入孔２１ｂに係止し、窓枠ユニット４が本体基部３の窓枠ユニット取り付け枠６に固定される。このように窓枠ユニット４を本体基部３に取り付けた後、窓枠２２を閉じ、再び窓枠２２を支持枠２１にロックすることにより、パチンコ機２は遊技可能な状態となる。
【００５７】
機種の入れ替えや破損や故障などによるメンテナンスの作業を行う場合に、窓枠ユニット４を本体基部３から取り外すには、先ず、施錠装置６１による窓枠２２と支持枠２１とのロックを解除し、窓枠２２を開放する。第１固定用挿入部材８の係止部８ａを固定位置から取り外し位置に回動させ、第１固定用挿入部材８の係止部８ａと支持枠２１の挿入孔２１ｂとによる係止状態を解除する。そして、再び窓枠２２を支持枠２１にロックする。
【００５８】
窓枠２２を支持枠２１にロックした後、窓枠ユニット４とともに受け部ユニット５を通常位置から傾斜位置に向けて回動させる。その途中で、窓枠ユニット４のフック３６と本体基部３の枠体９とによる係止状態を解除する。受け部ユニット５を通常位置から傾斜位置にセットした後、窓枠ユニット４を斜め上方に持ち上げ、窓枠ユニット４の保持用挿入部材３４を受け部ユニット５の保持用穴部７８ａから引き抜く。
【００５９】
窓枠２２が本体基部３に取り付けられたままの状態で遊技盤２０を本体基部３から取り外す場合には、窓枠２２と支持枠２１とのロックを解除して窓枠２２を開放した後、第２固定用挿入部材３３の係止部３３ａを固定位置から取り外し位置に回動させ、第２固定用挿入部材３３の係止部３３ａと遊技盤２０の挿入孔２０ｂとによる係止状態を解除する。これにより遊技盤２０を本体基部３から取り外すことが可能となる。
【００６０】
また、窓枠２２のみを本体基部３から取り外す場合には、窓枠２２と支持枠２１とのロックを解除して窓枠２２を開放した後、ヒンジ装置５０の軸５５の係止部５５ｂを下方に引っ張り、支持枠２１の軸取り付け孔２１ｃと挿通部５５ａとの係合状態を解除し、支持枠２１の軸３５から窓枠２２の軸取り付け孔５１ｂが引き抜かれるように窓枠２２を上方向に持ち上げる。これにより窓枠２２の本体基部３からの取り外しが完了する。なお、窓枠２２を本体基部３から取り外すにあたって、窓枠２２を上方向に持ち上げる際に、保持枠５１のヒンジ装置５０が取り付けられている側の上面が、支持枠２１の軸取り付け孔２１ｃが形成されている側の下面に当接して、窓枠２２を持ち上げることが不可能となることのないように、保持枠５１の上面と支持枠２１の下面との間には窓枠２２を持ち上げて支持枠２１の軸３５から窓枠２２の軸取り付け孔５１ｂを引き抜くことが可能となる距離が設けられている。
【００６１】
以上のように、傾斜位置で、保持用挿入部材３４を保持用穴部７８ａに挿入することにより、窓枠ユニット４と受け部ユニット５とを一体化させた後、窓枠ユニット４とともに受け部ユニット５を上述した傾動手段により傾斜位置から通常位置に移動させてから上述した固定手段により窓枠ユニット４を本体基部３に固定するようにしたので、窓枠ユニット４を容易に本体基部３に取り付けることができる。また、窓枠ユニット４の重量が大きくなっても本体基部３への取り付け作業、あるいは本体基部３からの取り外し作業を安全に、且つ効率良く行うことができる。さらに、窓枠２２と遊技盤２０が支持枠２１に着脱自在に取り付けられているので、窓枠２２または遊技盤２０のメンテナンスを行う際の取り外しやデザイン変更に伴う交換を行う際には、窓枠２２と遊技盤２０とのうち、必要な方だけを取り外したり、あるいは交換したりすれば良く、つまり、本体基部３ごと、あるいは窓枠ユニット４ごと交換する必要がなくなるので作業の効率化、コストの低廉化を図ることができる。
【００６２】
上記実施形態では、筒体７８の穴部を保持用穴部７８ａとしたが、保持用穴部７８ａは、例えば、受け部ユニット５のベース部材７３の上面に直接的に形成しても良く、支持枠２１の保持用挿入部材３４が挿入可能となれば受け部ユニット５のいずれの箇所に形成しても良い。
【００６３】
上記実施形態では、支持枠２１に保持用挿入部材３４を、受け部ユニット５に保持用穴部７８ａを設けたが、これに限ることなく、支持枠２１に保持用穴部を、受け部ユニット５に保持用挿入部材を設けても良い。この場合、支持枠２１の保持用穴部は、上記実施形態と同様に、支持枠２１に下方に向けて開口された筒体を設けるようにしても良く、また、支持枠２１に直接的に穴部を形成しても良い。受け部ユニット５に保持用挿入部材は、支持枠２１に設けた保持用穴部の位置や大きさに対応するように、すなわち、支持枠２１の保持用穴部に挿入可能となるように形成されていれば良い。
【００６４】
上記実施形態では、支持枠２１にフック３６を、本体基部３に枠体９を設けたが、これに限ることなく、支持枠２１に枠体を、本体基部３にフックを設けても良い。また、上記実施形態では、係止部材としてフック３６を、フック３６を嵌合させる嵌合部材として枠体９を設けたが、受け部ユニット５に取り付けられた窓枠ユニット４を第１固定用挿入部材８を用いて本体基部３に固定する前に、窓枠ユニット４を本体基部３に引っ掛けることができるもの、すなわち、仮固定できるものであればフック３６や枠体９に限ることなくどのような形態であっても良く、その形態は適宜に変更可能である。
【００６５】
上記実施形態では、枠体９及びフック３６のそれぞれにスライド機構を設け、両方のスライド機構にコイルバネを組み込み、枠体９及びフック３６のそれぞれをコイルバネによって収納位置から突出位置に向けて付勢するようにしたが、枠体９及びフック３６のスライド機構のうち、一方のスライド機構にのみコイルバネを組み込むようにしても良い。
【００６６】
上記実施形態では、支持枠２１に窓枠２２と遊技盤２０を着脱自在に取り付けて窓枠ユニット４を構成したが、窓枠２２を遊技盤２０に取り付けることにより窓枠ユニット４を構成しても良い。この場合、窓枠２２の側端部と遊技盤２０の側端部とをヒンジにより連結し、遊技盤２０を本体基部３の第１固定用挿入部材８を用いて本体基部３に固定する。これにより、窓枠２２は遊技盤２０に対して開閉自在となる。
【００６７】
上記実施形態では、遊技盤２０の背面に球通路、メイン制御基盤やサブ制御基盤が設けられている状態で遊技盤を支持枠２１に取り付けるようにしたが、球通路、メイン制御基盤、サブ制御基盤を本体基部３に据え置きの状態にして遊技盤２０だけを別にして本体基部３に取り付けるようにしても良い。また、メイン制御基盤及びサブ制御基盤を本体基部３に据え置き、遊技盤２０の背面に球通路が設けられている状態で遊技盤２０を本体基部３に取り付けるようにしても良い。また、球通路を本体基部３に据え置き、遊技盤２０の背面にメイン制御基盤及びサブ制御基盤が設けられている状態で遊技盤２０を本体基部３に取り付けるようにしても良い。このように、遊技盤２０に取り付けられた状態で本体基部３に取り付けるものと、本体基部３に据え置かれ、遊技盤２０が本体基部３に取り付けられた後に遊技盤２０に取り付けられるものとを区別するようにしても良く、遊技盤２０に取り付けるものと、本体基部３に据え置くものとはパチンコ機２の構成や目的に応じて適宜に決定すれば良い。
【００６８】
次に図１４及び図１５を参照しながら第２の実施形態について説明する。なお、第１の実施形態のものと同様の構成部材については同一の符号を付し、その詳細な説明は省略する。パチンコ機９０は、本体基部３、受け部ユニット５、遊技盤ユニット９１、及び窓枠ユニット９２から構成されている。遊技盤ユニット９１は、遊技盤２０と、この遊技盤２０に背面に取り付けられる制御回路ユニット９３とから構成されている。制御回路ユニット９３は、メイン制御基盤やサブ制御基盤からなる制御回路装置９４と、この制御回路装置９４を支持する支持板９５とから構成されている。また、支持板９５の前面、すなわち、遊技盤２０の背面に対峙する面には球通路９５ａが形成されている。  
【００６９】
遊技盤２０の下面の左右端部には、下方に向けて突出するように一対の保持用挿入部材９６が設けられている。この保持用挿入部材９６は、第１の実施形態の支持枠２１に設けられているものと同様の構成をしており、受け部ユニット５の保持用穴部７８ａに挿入される。すなわち、保持用挿入部材９６と保持用穴部７８ａとにより、遊技盤ユニット９１を受け部ユニット５の上部に保持し、遊技盤ユニット９１と受け部ユニット５とを一体化させる。このように、本実施形態では、保持用挿入部材９６と保持用穴部７８ａとから保持手段が構成されている。
【００７０】
窓枠ユニット９２は、窓枠２２と支持枠９７とから構成されている。支持枠９７は、略矩形状に形成されており、一段凹んだ部分には、遊技盤ユニット９１が取り付けられる遊技盤ユニット取り付け枠９８が形成されている。遊技盤ユニット取り付け枠９８の中央部には矩形状の開口９７ａが形成されており、この開口９７ａには、遊技盤ユニット９１の制御回路ユニット９３が嵌め込まれる。支持枠９７の底部には遊技ユニット９１の横幅よりもやや大きい切り欠き９７ｂが形成されている。支持枠９７の上部には本体基部３の第１固定用挿入部材８が挿入される挿入孔９７ｃが形成されている。
【００７１】
遊技盤ユニット取り付け枠９８の正面から向かって右側の上下端部には、遊技盤ユニット９１を遊技盤ユニット取り付け枠９８に固定するための一対の第２固定用挿入部材９９が設けられている。第２固定用挿入部材９９は、第１の実施形態の支持枠２１に設けられているものと同様の構成になっており、係止部９９ａと軸部９９ｂとから構成されている。第２固定用挿入部材９９のそれぞれは、遊技盤２０の正面から向かって右側の上下端部に形成されている挿入孔２０ｂに挿入される。
【００７２】
支持枠９７の正面から向かって左側の上端部には、窓枠２２のヒンジ装置５０の軸５５が挿入される円形の軸取り付け孔９７ｄが形成されており、下端部の内壁には軸１００が上方に突出するように設けられている。支持枠９７には軸取り付け孔９７ｄ及び軸１００を介して窓枠２２が着脱自在に取り付けられる。
【００７３】
次に上記構成による作用ついて説明する。パチンコ機９０を組み立てるにあたって、先ず、第１の実施形態と同様にして支持枠９７に窓枠２２を取り付けて窓枠ユニット９２を完成させる。次に、窓枠ユニット取り付け枠６の第１固定用挿入部材８の係止部８ａを取り外し位置にセットする。第１固定用挿入部材８の係止部８ａを支持枠９７の挿入孔９７ｃに挿通させながら、窓枠ユニット取り付け枠６の前面に窓枠ユニット９２を配置する。第１固定用挿入部材８の係止部８ａを取り外し位置から固定位置に回動させる。これにより支持枠９７が本体基部３に固定される。
【００７４】
次に、窓枠ユニット９２を開放した状態にして受け部ユニット５を傾斜位置にセットする。第１の実施形態と同様にして、遊技盤ユニット９１の保持用挿入部材９６を受け部ユニット５の保持用穴部７８ａに挿入する。これにより、保持用挿入部材９６と保持用穴部７８ａとにより遊技盤ユニット９１は受け部ユニット５の上部で保持され、遊技盤ユニット９１と受け部ユニット５とが一体化される。
【００７５】
遊技盤ユニット９１と受け部ユニット５とを一体化させた後、遊技盤ユニット取り付け枠９８の第２固定用挿入部材９９の係止部９９ａを取り外し位置にセットする。遊技盤ユニット９１とともに受け部ユニット５を上述した傾動手段により傾斜位置から通常位置に向けて回動させる。そして、遊技盤２０の挿入孔２０ｂに第２固定用挿入部材９９の係止部９９ａを挿通させながら通常位置にセットして、遊技盤ユニット９１を窓枠ユニット９２の遊技盤ユニット取り付け枠９８の前面に配置する。第２固定用挿入部材９９の係止部９９ａを取り外し位置から固定位置に回動させる。これにより、第２固定用挿入部材９９の係止部９９ａが遊技盤２０の挿入孔２０ｂに係止し、遊技盤ユニット９１が窓枠ユニット９２の支持枠９７に固定される。
【００７６】
結果的に、窓枠ユニット９２は第１固定用挿入部材８と支持枠９７の挿入孔９７ｃとによって本体基部３に固定されているため、遊技盤ユニット９１は本体基部３に固定されたことになる。このように、本実施形態では、第１固定用挿入部材８、支持枠９７の挿入孔９７ｃ、第２固定用挿入部材９９、及び遊技盤２０の挿入孔２０ｂから固定手段が構成されている。
【００７７】
最後に、窓枠２２を閉じ、施錠装置６１により窓枠２２を支持枠９７にロックする。これにより、パチンコ機９０は遊技可能な状態となる。
【００７８】
このように、パチンコ機（遊技機）９０における遊技盤ユニット９１の本体基部３への取り付け方法は、パチンコ球が打ち出される遊技領域２０ａが形成された遊技盤２０を有する遊技盤ユニット９１と、パチンコ球を受容する供給皿（受け部）７４が形成された受け部ユニット５と、遊技盤ユニット９１と受け部ユニット５とが上下に取り付けられる本体基部３と、遊技盤ユニット９１を受け部ユニット５の上部で保持し、遊技盤ユニット９１と受け部ユニット５とを一体化させる保持手段と、遊技可能な状態で受け部ユニット５が本体基部３に取り付けられる通常位置と、本体基部３の前面側に傾斜して、保持手段により遊技盤ユニット９１を受け部ユニット５に着脱させる傾斜位置との間で、受け部ユニット５を本体基部３に対して傾動させる傾動手段と、傾斜位置で遊技盤ユニット９１を保持した受け部ユニット５を傾動手段により通常位置に移動させた際に、遊技盤ユニット９１を本体基部３に固定する固定手段とを備えたパチンコ機９０における遊技盤ユニット９１の本体基部３への取り付け方法であって、傾斜位置で保持手段により遊技盤ユニット９１と受け部ユニット５とを一体化させた後、遊技盤ユニット９１とともに受け部ユニット５を傾動手段により傾斜位置から通常位置に移動させてから固定手段により遊技盤ユニット９１を本体基部３に固定することを特徴とする。
【００７９】
窓枠２２が本体基部３に取り付けられたままの状態で遊技盤ユニット９１を本体基部３から取り外す場合には、窓枠２２と支持枠９７とのロックを解除して窓枠２２を開放した後、第２固定用挿入部材９９の係止部９９ａを固定位置から取り外し位置に回動させ、第２固定用挿入部材９９の係止部９９ａと遊技盤２０の挿入孔２０ｂとによる係止状態を解除する。遊技盤２０とともに受け部ユニット５を通常位置から傾斜位置に回動させる。受け部ユニット５を通常位置から傾斜位置にセットした後、遊技盤ユニット９１を斜め上方に持ち上げ、遊技盤ユニット９１の保持用挿入部材９６を受け部ユニット５の保持用穴部７８ａから引き抜く。
【００８０】
以上のように、傾斜位置で、保持用挿入部材９６を保持用穴部７８ａに挿入することにより、遊技盤ユニット９１と受け部ユニット５とを一体化させた後、遊技盤ユニット９１とともに受け部ユニット５を上述した傾動手段により傾斜位置から通常位置に移動させてから上述した固定手段により遊技盤ユニット９１を本体基部３に固定するようにしたので、遊技盤ユニット９１を容易に本体基部３に取り付けることができる。また、第２固定用挿入部材９９の係止部９９ａと遊技盤２０の挿入孔２０ｂとによる係止状態を解除し、受け部ユニット５を傾斜位置にしてから遊技盤ユニット９１の保持用挿入部材９６を受け部ユニット５の保持用穴部７８ａから引き抜くだけで、遊技盤ユニット９１を本体基部３から離脱させ、そして受け部ユニット５から取り外すことができる。よって、遊技盤ユニット９１の重量が大きくなっても本体基部３への取り付け作業、あるいは本体基部３からの取り外し作業を安全に、且つ効率良く行うことができる。
【００８１】
なお、第２の実施形態では、支持枠９７に窓枠２２と遊技盤ユニット９１を着脱自在に取り付けたが、支持枠９７を用いずに窓枠２２と遊技盤ユニット９１とを本体基部３に直接取り付けるようにしても良い。この場合、先ず、窓枠２２をヒンジを用いて本体基部３又は遊技盤ユニット９１に回動自在に取り付ける。そして、受け部ユニット５を傾斜位置にセットしてから遊技盤ユニット９１の保持用挿入部材９６を受け部ユニット５の保持用穴部７８ａに挿入し、受け部ユニット５を通常位置にセットした後、本体基部３の第１固定用挿入部材８を用いて遊技盤ユニット９１を本体基部３に取り付ければ良い。
【図面の簡単な説明】
【００８２】
【図１】本発明の第１の実施形態であるパチンコ機の外観を示す斜視図である。
【図２】パチンコ機の分解斜視図である。
【図３】ヒンジ装置の構成を示す斜視図である。
【図４】ヒンジ装置の構成を示す斜視図である。
【図５】支持枠への遊技盤の取り付け時の状態を示す断面図である。
【図６】支持枠に遊技盤が嵌め込まれた状態を示す断面図である。
【図７】第２固定用挿入部材の係止部が取り外し位置にセットされた状態を示す正面図である。
【図８】第２固定用挿入部材の係止部が固定位置にセットされた状態を示す正面図である。
【図９】施錠装置の概略を示す断面図である。
【図１０】受け部ユニットの構成を示す斜視図である。
【図１１】窓枠ユニットを受け部ユニットに取り付ける時の状態を示す側面図である。
【図１２】受け部ユニットを傾斜位置から通常位置に移動させる時の状態を示す側面図である。
【図１３】本体基部に窓枠ユニットが嵌め込まれた時の状態を示す斜視図である。
【図１４】本発明の第２の実施形態であるパチンコ機の分解斜視図である。
【図１５】遊技盤ユニットの分解斜視図である。
【符号の説明】
【００８３】
２、９０    パチンコ機（遊技機）
３    本体基部
４、９２    窓枠ユニット
５    受け部ユニット
８    第１固定用挿入部材（固定用挿入部材）
９    枠体（嵌合部材）
２０    遊技盤
２０ａ    遊技領域
２０ｂ、９７ｃ    挿入孔
２１、９７    支持枠
２１ｂ    挿入孔（固定用穴部）
２２    窓枠
３３、９９    第２固定用挿入部材
３６    フック（係止部材）
３４、９６    保持用挿入部材
７４    供給皿（受け部）
７8 ａ    保持用穴部
７９    連結部材
８０    ガイドピン
８１    ヒンジ
９１    遊技盤ユニット
【図１】
2005323929.tif 000003
【図２】
2005323929.tif 000004
【図３】
2005323929.tif 000005
【図４】
2005323929.tif 000006
【図５】
2005323929.tif 000007
【図６】
2005323929.tif 000008
【図７】
2005323929.tif 000009
【図８】
2005323929.tif 000010
【図９】
2005323929.tif 000011
【図１０】
2005323929.tif 000012
【図１１】
2005323929.tif 000013
【図１２】
2005323929.tif 000014
【図１３】
2005323929.tif 000015
【図１４】
2005323929.tif 000016
【図１５】
2005323929.tif 000017